(57)【要約】【課題】家庭でも手軽に七宝焼を作ることができる七宝焼用焼成炉組立キットの提供を目的とする。【解決手段】本発明の七宝焼用焼成炉組立キット１０は、ガスコンロ７０のバーナーキャップ７１に上側から被せられる遮蔽板１１と、ガスコンロ７０の五徳７２に載置される台盤２０と、台盤２０の上に載置される筒体３０と、筒体３０の上に載置される蓋体４０と、を有する。台盤２０は、耐火断熱材で構成された環状の支持板２３と、支持板２３の中心孔を塞ぐ金網２５と、を備える。筒体３０は、金属で構成された外筒部３１の内面に断熱材で構成された内筒部３２が固定されてなる。蓋体４０は、断熱材で構成され、中心部に貫通孔４１を有する。【選択図】図２
2019104957.tif 000002
【特許請求の範囲】
【請求項１】
ガスコンロのバーナーキャップに上側から被せられる遮蔽板と、
前記ガスコンロの五徳に載置される台盤と、
前記台盤の上に載置される筒体と、
前記筒体の上に載置される蓋体と、を有し、
前記台盤は、耐火断熱材で構成された環状の支持板と、前記支持板の中心孔を塞ぐ金網と、を備え、
前記筒体は、金属で構成された外筒部の内面に断熱材で構成された内筒部が固定されてなり、
前記蓋体は、断熱材で構成され、中心部に貫通孔を有する、七宝焼用焼成炉組立キット。
【請求項２】
前記筒体の上端寄り部分の内側に取り付けられる上側金網をさらに有する、請求項１に記載の七宝焼用焼成炉組立キット。
【請求項３】
前記内筒部の上端は、前記外筒部の上端より下方に位置し、前記上側金網は前記内筒部の上に載置され、前記蓋体は前記外筒部の上に載置される、請求項２に記載の七宝焼用焼成炉組立キット。
【請求項４】
前記筒体の高さは、前記支持板の中心孔の直径のほぼ半分の大きさであって、
前記蓋体の貫通孔は、前記支持板の中心孔とほぼ同径である、請求項１乃至３のうち何れか１の請求項に記載の七宝焼用焼成炉組立キット。
【請求項５】
前記蓋体は、前記支持板と同じ材料で構成され、前記支持板と同じ形状及び大きさに形成されている、請求項４に記載の七宝焼用焼成炉組立キット。
【請求項６】
前記蓋体の貫通孔よりも小さい貫通孔を備えて前記蓋体の上に載置される上側蓋体をさらに有する、請求項１乃至５のうち何れか１の請求項に記載の七宝焼用焼成炉組立キット。
【請求項７】
１対のアームが開閉可能に連結されてなり、それら１対のアームの先端部が同方向に折り曲げられて前記筒体の周壁を径方向に挟むための１対の把持部を形成するトングをさらに有し、
前記筒体の外周面には、突起が設けられ、
前記１対の把持部のうち前記筒体の外側に配置される把持部に、前記突起が挿通される挿通孔が形成されている、請求項１乃至６のうち何れか１の請求項に記載の七宝焼用焼成炉組立キット。
【請求項８】
前記筒体は、上側で拡径するテーパー状に形成されている、請求項７に記載の七宝焼用焼成炉組立キット。
【発明の詳細な説明】
【技術分野】
【０００１】
本発明は、家庭用のガスコンロを用いて七宝焼を作るための七宝焼用焼成炉組立キットに関する。
【背景技術】
【０００２】
特許文献１には、釉薬が塗布された金属基材を電気炉で焼成して、七宝焼を作る方法が示されている。
【先行技術文献】
【特許文献】
【０００３】
【特許文献１】特開平５−６５６７７号公報（段落［００１７］）
【発明の概要】
【発明が解決しようとする課題】
【０００４】
しかしながら、特許文献１の七宝焼の製造方法では、電気炉が必要になるため、イニシャルコストが高く、家庭で手軽に七宝焼を作ることができないという問題があった。
【０００５】
本発明は、上記事情に鑑みてなされたもので、家庭でも手軽に七宝焼を作ることができる七宝焼用焼成炉組立キットの提供を目的とする。
【課題を解決するための手段】
【０００６】
上記目的を達成するためになされた請求項１の発明は、ガスコンロのバーナーキャップに上側から被せられる遮蔽板と、前記ガスコンロの五徳に載置される台盤と、前記台盤の上に載置される筒体と、前記筒体の上に載置される蓋体と、を有し、前記台盤は、耐火断熱材で構成された環状の支持板と、前記支持板の中心孔を塞ぐ金網と、を備え、前記筒体は、金属で構成された外筒部の内面に断熱材で構成された内筒部が固定されてなり、前記蓋体は、断熱材で構成され、中心部に貫通孔を有する、七宝焼用焼成炉組立キットである。
【０００７】
請求項２の発明は、前記筒体の上端寄り部分の内側に取り付けられる上側金網をさらに有する、請求項１に記載の七宝焼用焼成炉組立キットである。
【０００８】
請求項３の発明は、前記内筒部の上端は、前記外筒部の上端より下方に位置し、前記上側金網は前記内筒部の上に載置され、前記蓋体は前記外筒部の上に載置される、請求項２に記載の七宝焼用焼成炉組立キットである。
【０００９】
請求項４の発明は、前記筒体の高さは、前記支持板の中心孔の直径のほぼ半分の大きさであって、前記蓋体の貫通孔は、前記支持板の中心孔とほぼ同径である、請求項１乃至３のうち何れか１の請求項に記載の七宝焼用焼成炉組立キットである。
【００１０】
請求項５の発明は、前記蓋体は、前記支持板と同じ材料で構成され、前記支持板と同じ形状及び大きさに形成されている、請求項４に記載の七宝焼用焼成炉組立キットである。
【００１１】
請求項６の発明は、前記蓋体の貫通孔よりも小さい貫通孔を備えて前記蓋体の上に載置される上側蓋体をさらに有する、請求項１乃至５のうち何れか１の請求項に記載の七宝焼用焼成炉組立キットである。
【００１２】
請求項７の発明は、１対のアームが開閉可能に連結されてなり、それら１対のアームの先端部が同方向に折り曲げられて前記筒体の周壁を径方向に挟むための１対の把持部を形成するトングをさらに有し、前記筒体の外周面には、突起が設けられ、前記１対の把持部のうち前記筒体の外側に配置される把持部に、前記突起が挿通される挿通孔が形成されている、請求項１乃至６のうち何れか１の請求項に記載の七宝焼用焼成炉組立キットである。
【００１３】
請求項８の発明は、前記筒体は、上側で拡径するテーパー状に形成されている、請求項７に記載の七宝焼用焼成炉組立キットである。
【発明の効果】
【００１４】
［請求項１の発明］
本発明の七宝焼用焼成炉組立キットでは、ガスコンロのバーナーキャップに遮蔽板を被せた状態で、五徳の上に台盤を載置する。そして、釉薬が塗布された金属基材を台盤の金網の上に載置し、さらに、その金属基材を囲むように筒体を台盤の上に載置し、筒体の上に蓋体を載置した状態で、ガスコンロに火をつける。すると、金属基材に塗布された釉薬を焼成することが可能となる。また、本発明では、遮蔽板によって火が外側に廻り込み、筒体の内筒部の断熱材によって金属基材を上側から加熱することが可能となる。その結果、金属基材を上側と下側の両方から加熱することが可能となり、金属基材の表側と裏側に塗布された釉薬をムラなく焼成することが可能となる。このように、本発明によれば、家庭で手軽に七宝焼を作ることが可能となる。
【００１５】
［請求項２〜６の発明］
本発明では、筒体の内側に上側金網を取り付けて、上側金網の上に銀粘土を載置し、さらに、筒体の上に蓋体を被せた状態で、ガスコンロに火をつけると、銀粘土が焼成される。このように、本発明によれば、七宝焼に用いる筒体を用いて銀粘土を焼成することが可能となる。また、請求項３の発明のように、内筒部の上端を外筒部の上端より下方に配置し、上側金網を内筒部の上に載置するようにすれば、上側金網を筒体の内側に簡単に取り付けることが可能となる。
【００１６】
ここで、請求項４の発明のように、筒体の高さが支持板の中心孔の直径のほぼ半分の大きさであって、蓋体の貫通孔が支持板の中心孔とほぼ同径であると、七宝焼の焼成と銀粘土の焼成のそれぞれを短時間で行うことが可能となる。また、請求項５の発明のように、蓋体を、支持板と同じ材料で構成し、支持板と同じ形状及び大きさに形成すれば、支持板として使用する部材を蓋体として使用することができる。
【００１７】
また、請求項６の発明のように、蓋体の貫通孔より小さい貫通孔を備える上側蓋体を有する場合には、蓋体の上に上側蓋体を載置することで筒体の内側の空間の温度を変更することができる。なお、請求項６の発明では、マーブル七宝やフリット七宝や噴釉七宝が可能になる。
【００１８】
［請求項７，８の発明］
請求項７の発明によれば、焼成後の筒体の取り外しを安全に行うことが可能となる。なお、筒体を上側で拡径するテーパー状に形成すれば、トングで筒体を掴み易くすることができる（請求項８の発明）。
【図面の簡単な説明】
【００１９】
【図１】七宝焼用焼成炉組立キットの主要部品の斜視図
【図２】七宝焼用焼成炉組立キットを用いた七宝焼の作成方法を説明するための斜視図
【図３】七宝焼を焼成するときの七宝焼用焼成炉組立キットの側断面図
【図４】（Ａ）トングの斜視図、（Ｂ）筒体を挟むトングの側断面図
【図５】七宝焼用焼成炉組立キットを用いた銀粘土の焼成方法を説明するための斜視図
【図６】銀粘土を焼成するときの七宝焼用焼成炉組立キットの側断面図
【図７】他の実施形態に係る七宝薬用焼成炉組立キットの上側蓋体の斜視図
【発明を実施するための形態】
【００２０】
図１及び図２に示されるように、本実施形態に係る七宝焼用焼成炉組立キット１０（以下、単に、「組立キット１０」という。）は、ガスコンロ７０（図２参照）を用いて七宝焼を作るためのものであって、遮蔽板１１、台盤２０、筒体３０及び蓋体４０を備えている。
【００２１】
遮蔽板１１は、金属製であって、円形の主板１２の外縁部から複数の脚部１３が下方に突出した構造になっている。主板１２は、ガスコンロ７０のバーナーキャップ７１（図２参照）を複数の脚部１３が囲むことができる大きさになっている。なお、脚部１３には、バーナーキャップ７１の外周部と係止する係止爪が備えられてもよい。
【００２２】
台盤２０は、台盤本体２１と金網２５とからなる。台盤本体２１は、環状のベース板２２と、中心孔２３Ａを有する支持板２３と、を備えている。ベース板２２は、金属（例えば、ステンレス）で構成され、支持板２３は、耐火断熱材（例えば、セラミックウール）で構成されている。支持板２３は、複数の留め具２４がベース板２２との間に支持板２３を挟むことによって、ベース板２２の上に固定されている。そして、支持板２３の中心孔２３Ａがベース板２２の内側の空間に重ねられている。なお、支持板２３の中心孔２３Ａの大きさは、遮蔽板１１の大きさと略同じになっている。
【００２３】
金網２５は、支持板２３の上に載置されて、支持板２３の中心孔２３Ａを覆う。なお、本実施形態では、金網２５は、支持板２３に対して分離自在に構成されているが、支持板２３に固定されてもよい。金網２５の支持板２３への固定は、例えば、複数の留め具２４がベース板２２との間に支持板２３と金網２５を挟むことで行われる。
【００２４】
図３に示されるように、筒体３０は、金属で構成された外筒部３１の内面に断熱材で構成された内筒部３２が固定されてなる。外筒部３１は、環状の底壁３１Ｂの外縁部から包囲壁３１Ｈが起立した構造になっていて、包囲壁３１Ｈの外周面には、突起３１Ｔが設けられている。包囲壁３１Ｈは、上側で拡径するテーパー状に形成され、上端部に外方へ張り出すフランジを有している。内筒部３２は、外筒部３１の包囲壁３１Ｈと同様のテーパー状に形成されている。内筒部３２の肉厚は、外筒部３１の肉厚より大きくなっている。なお、外筒部３１は、例えば、ステンレスで構成され、内筒部３２は、例えば、セラミックウールで構成されている。
【００２５】
蓋体４０は、断熱材（例えば、セラミックウール）で構成され、中心部に貫通孔４１を有している。貫通孔４１は、支持板２３の中心孔２３Ａとほぼ同径に形成されている。なお、蓋体４０を、支持板２３と同じ材料で構成し、支持板２３と同じ形状及び大きさに形成すれば、支持板２３として使用する部材を蓋体４０に兼用することができ、低コスト化が図られる。
【００２６】
組立キット１０を用いて七宝焼を作るには、図２及び図３に示されるように、ガスコンロ７０のバーナーキャップ７１に遮蔽板１１を被せて、台盤２０を五徳７２の上に載置する。このとき、支持板２３の中心孔２３Ａは、遮蔽板１１の上方に配置され、金網２５によって全体を覆われている。
【００２７】
次いで、釉薬が塗布された金属基材８１（図３参照）を金網２５の上に載置する。そして、金属基材８１を囲むように筒体３０を台盤２０の上に載置し、筒体３０の上に蓋体４０を載置する。このとき、金属基材８１は、支持板２３の中心孔２３Ａに上方から重ねられる。
【００２８】
次いで、ガスコンロ７０に火をつけると、台盤２０が加熱される。また、ガスコンロ７０の火は、遮蔽板１１によって外側に廻り込み、筒体３０も加熱する。ここで、バーナーキャップ７１の外径は７０〜９０ｍｍとなっていて、支持板２３の中心孔２３と蓋体４０の貫通孔４１の径も７０〜９０ｍｍとなっている。また、台盤２０の厚みは７〜１３ｍｍとなっている。その結果、金網２５の近傍の温度を釉薬の焼成温度である８００度付近にすることができ、金属基材８１に塗布された釉薬が焼成される。また、台盤２０の支持板２３は、耐火断熱材で構成され、筒体３０は、金属で構成された外筒部３１と断熱材で構成された内筒部３２とからなるので、金網２５の上に載置された金属基材８１を上側と下側の両方から加熱することができる。これにより、金属基材８１の表側と裏側に釉薬が塗布された場合に、その釉薬をムラなく焼成することができる。なお、釉薬の焼成にかかる時間は約５分である。
【００２９】
釉薬の焼成が完了すると、ガスコンロ７０の火を止め、台盤２０から筒体３０を外して、金属基材３１を取り出す。以上により、七宝焼製品が得られる。ここで、台盤２０から筒体３０を外すときに、作業者が筒体３０に触れると火傷をする可能性がある。そこで、組立キット１０には、図４（Ａ）及び図４（Ｂ）に示される、筒体３０を掴むためのトング５０が備えられている。なお、トング５０は、蓋体４０の取り外しに用いられてもよい。
【００３０】
図４（Ａ）に示されるように、トング５０は、１対のアーム５１，５１が開閉可能に連結されてなる。１対のアーム５１，５１は、その先端部が同方向に折り曲げられて１対の把持部５２，５２を形成する。ここで、１対の把持部５２，５２のうち折り曲げ方向の外側に配置される把持部５２と折り曲げ方向の内側に配置される把持部５２を第１把持部５２Ａと第２把持部５２Ｂと称して区別すると、第１把持部５２Ａは第２把持部５２Ｂよりも短く形成され、第２把持部５２Ｂの先端部に挿通孔５３が貫通形成されている。
【００３１】
図４（Ｂ）に示されるように、トング５０で筒体３０を掴むには、第２把持部５２Ｂが筒体３０の外側に配置されるように、１対の把持部５２，５２で筒体３０の周壁を挟む。ここで、次述するように、内筒部３２の上端は外筒部３１の上端より下側に位置している。そして、第１把持部５２Ａが外筒部３１のうち内筒部３２よりも上側に飛び出た部分に引っ掛けられ、外筒部３１の包囲壁３１Ｈが１対の把持部５２，５２に挟持される。このとき、第２把持部５２Ｂの挿通孔５３に外筒部３１の突起３１Ｔが挿通され、筒体３０が１対の把持部５２，５２から脱け落ちることが防がれる。ここで、筒体３０（詳細には、外筒部３１）は、上述したように、上側で拡径するテーパー状に形成されているので、トング５０で筒体３０を掴み易くなっている。
【００３２】
ところで、組立キット１０では、銀粘土８２（図６参照）を焼成することで金属基材８１を作ることも可能になっている。銀粘土８２の焼成を可能にするため、組立キット１０には、図５に示される上側金網３５が備えられている。図６に示されるように、上側金網３５は、筒体３１の上端寄り部分の内側に取り付けられる。ここで、筒体３１の内筒部３２は外筒部３１よりも低く形成されていて、内筒部３２の下端は底壁３１Ｂに接している。従って、内筒部３２の上端は外筒部３１の上端より下方に配置される。そして、上側金網３５は、外筒部３１の内側に嵌り込んで内筒部３２の上に載置される。このように、本実施形態によれば、上側金網３５を内筒部３２の上に載置するだけで、上側金網３５を筒体３０の内側に簡単に取り付けることが可能となる。
【００３３】
組立キット１０を用いて銀粘土８２を焼成するには、図５及び図６に示されるように、ガスコンロ７０のバーナーキャップ７１に遮蔽板１１を被せて、台盤２０を五徳７２の上に載置する。次いで、台盤２０の上に筒体３０を載置し、筒体３０に上側金網３５を取り付ける。なお、図５及び図６では、金網２５（図２及び図３参照）が支持板２３から外されているが、図２及び図３に示されるように、金網２５が支持板２３の上に載せられてもよい。
【００３４】
次いで、上側金網３５の上に銀粘土８２（図６参照）を載置し、筒体３０の上に蓋体４０を載置する。銀粘土８２が筒体３０から上側に飛び出る場合には、蓋体４０は、銀粘土８２が貫通孔４１内に配置されるように配置される。
【００３５】
次いで、ガスコンロ７０に火をつけると、筒体３０が加熱され、上側金網３５の近傍の温度が上昇する。ここで、筒体３０の高さは、支持板２３の中心孔２３Ａの直径のほぼ半分の大きさ（具体的には、４５〜５５ｍｍ）になっている。また、上述したように、蓋体４０は、断熱材で構成され、蓋体４０の貫通孔４１は、支持板２３の中心孔２３Ａとほぼ同径になっている。その結果、上側金網３５の近傍の温度を銀粘土８２の焼成温度である６００〜８００度にすることが可能となる。なお、銀粘土８２の焼成にかかる時間も約５分である。
【００３６】
銀粘土８２の焼成が完了すると、ガスコンロ７０の火を止め、蓋体４０を外して、銀粘土８２を取り出す。蓋体４０の取り外し及び銀粘土８２の取り出しには、上述したトング５０（図４（Ａ）参照）が用いられてもよい。以上により、金属基材８１が得られる。
【００３７】
このように、本実施形態の組立キット１０によれば、ガスコンロ７０を用いて家庭で手軽に七宝薬を作ることが可能となる。また、組立キット１０では、七宝焼において釉薬を塗布する前の金属基材８１もガスコンロ７０を用いて作ることが可能となる。ここで、釉薬や銀粘土８２の焼成に時間かかると、ガスコンロ７０の傍を離れる可能性が高くなり、事故を招きやすくなるところ、本実施形態では、釉薬や銀粘土８２の焼成時間を、約５分と短くすることができるので、事故の発生を抑制することができる。
【００３８】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３９】
（１）上記実施形態では、上側金網３５は、筒体３０に対して着脱可能に構成されていたが、筒体３０に固定されてもよい。
【００４０】
（２）筒体３０は、直筒状に形成されてもよいし、上側で縮径するテーパー状に形成されてもよい。後者の場合には、筒体３０の内側の熱を逃げにくくすることができ、筒体３０の保温性を高めることができる。
【００４１】
（３）図７に示されるように、組立キット１０は、蓋体４０の上に載置される上側蓋体４５を備えてもよい。上側蓋体４５は、蓋体４０の貫通孔４１より小さい貫通孔４６を有する。上側蓋体４５の外径は、蓋体４０の外径より小さいことが好ましい。また、上側蓋体４５は、図７に示されるように、貫通孔４６の大きさが異なる複数種類が備えられてもよい。ここで、筒体３０の上に形成される開口部の面積が小さくなると筒体３０の内側空間の温度が高くなることが実験により確認された。従って、貫通孔４６の大きさが異なる複数種類の上側蓋体４５を備えれば、何れの上側蓋体４５を用いるかによって、筒体３０内の温度を変更することができる。筒体３０内の温度を８５０〜９００度にすれば、マーブル七宝やフリット七宝や噴釉七宝が可能になる。
【符号の説明】
【００４２】
１０    七宝焼用焼成炉組立キット
１１    遮蔽板
２０    台盤
２３    支持板
２５    金網
３０    筒体
３１    外筒部
３２    内筒部
３５    上側金網
４０    蓋体
７０    ガスコンロ
【図１】
2019104957.tif 000003
【図２】
2019104957.tif 000004
【図３】
2019104957.tif 000005
【図４】
2019104957.tif 000006
【図５】
2019104957.tif 000007
【図６】
2019104957.tif 000008
【図７】
2019104957.tif 000009